(57)【要約】車両用動力伝達装置の６個の伝達ユニット（１４）を軸方向一端側から他端側に向かって順番に♯１ユニット、♯２ユニット、♯３ユニット、♯４ユニット、♯５ユニット、♯６ユニットとしたとき、♯１ユニットの位相に対する♯６ユニットの位相と、♯６ユニットの位相に対する♯２ユニットの位相と、♯２ユニットの位相に対する♯４ユニットの位相と、♯４ユニットの位相に対する♯３ユニットの位相と、♯３ユニットの位相に対する♯５ユニットの位相と、♯５ユニットの位相に対する♯１ユニットの位相とが、それぞれ同方向に６０°ずれているので、各伝達ユニット（１４）の偏心ディスクに作用する遠心力に起因する偏荷重が発生しても、入力軸（１２）の両端を支持するベアリング（２１，２２）に加わる荷重を最小限に抑えて振動を低減することができる。
2014042018.tif 000002
【特許請求の範囲】
【請求項１】
駆動源（Ｅ）に接続された入力軸（１２）の回転を出力軸（１３）に伝達する６個の伝達ユニット（１４）を前記入力軸（１２）および前記出力軸（１３）間に軸方向に並置し、
前記伝達ユニット（１４）の各々は、
前記入力軸（１２）と共に偏心回転する入力側支点（１９）と、
前記出力軸（１３）に接続されたワンウェイクラッチ（３６）と、
前記ワンウェイクラッチ（３６）のアウター部材（３８）に設けられた出力側支点（３７）と、
前記入力側支点（１９）および前記出力側支点（３７）に両端を接続されて往復運動するコネクティングロッド（３３）とを備える車両用動力伝達装置であって、
前記６個の伝達ユニット（１４）を軸方向一端側から他端側に向かって順番に♯１ユニット、♯２ユニット、♯３ユニット、♯４ユニット、♯５ユニット、♯６ユニットとしたとき、♯１ユニットの位相に対する♯６ユニットの位相と、♯６ユニットの位相に対する♯２ユニットの位相と、♯２ユニットの位相に対する♯４ユニットの位相と、♯４ユニットの位相に対する♯３ユニットの位相と、♯３ユニットの位相に対する♯５ユニットの位相と、♯５ユニットの位相に対する♯１ユニットの位相とが、それぞれ同方向に６０°ずれていることを特徴とする車両用動力伝達装置。
【請求項２】
前記伝達ユニット（１４）は、前記入力軸（１２）の軸線（Ｌ）からの前記入力側支点（１９）の偏心量（ε）を変化させることで、前記入力軸（１２）の回転を変速して前記出力軸（１３）に伝達することを特徴とする、請求項１に記載の車両用動力伝達装置。
【発明の詳細な説明】
【技術分野】
【０００１】
本発明は、駆動源に接続された入力軸の回転を駆動輪に接続された出力軸に伝達する車両用動力伝達装が軸方向に等間隔で並置された６個の伝達ユニットを備えるものに関する。
【背景技術】
【０００２】
エンジンに接続された入力軸の回転を複数のコネクティングロッドの相互に位相が異なる往復運動に変換し、前記複数のコネクティングロッドの往復運動を複数のワンウェイクラッチによって出力軸の回転運動に変換する無段変速機が、下記特許文献１により公知である。
【先行技術文献】
【特許文献】
【０００３】
【特許文献１】日本特表２００５−５０２５４３号公報
【発明の概要】
【発明が解決しようとする課題】
【０００４】
ところで、上記特許文献１に記載された無段変速機は軸方向に並置された複数の伝達ユニットを備えており、それらの伝達ユニットは入力軸の周囲を偏心ディスクが相互に異なる位相で偏心回転するため、入力軸の両端部を支持するベアリングに周期的な偏荷重が加わって振動の原因となる問題がある。【０００５】
複数の伝達ユニットから入力軸の両端部を支持するベアリングに加わるトータルの偏荷重は、ベアリングおよび伝達ユニット間の距離と、複数の伝達ユニットの偏心ディスクの位相とに応じて変化するため、複数の伝達ユニットの軸方向の位置に応じて偏心ディスクの位相を適切に決定すれば、ベアリングに加わるトータルの偏荷重を低減する余地があると考えられる。【０００６】
本発明は前述の事情に鑑みてなされたもので、駆動力を異なる位相で間欠的に伝達する６個の伝達ユニットを備える車両用動力伝達装置の振動を低減することを目的とする。
【課題を解決するための手段】
【０００７】
上記目的を達成するために、本発明によれば、駆動源に接続された入力軸の回転を出力軸に伝達する６個の伝達ユニットを前記入力軸および前記出力軸間に軸方向に並置し、前記伝達ユニットの各々は、前記入力軸と共に偏心回転する入力側支点と、前記出力軸に接続されたワンウェイクラッチと、前記ワンウェイクラッチのアウター部材に設けられた出力側支点と、前記入力側支点および前記出力側支点に両端を接続されて往復運動するコネクティングロッドとを備える車両用動力伝達装置であって、前記６個の伝達ユニットを軸方向一端側から他端側に向かって順番に♯１ユニット、♯２ユニット、♯３ユニット、♯４ユニット、♯５ユニット、♯６ユニットとしたとき、♯１ユニットの位相に対する♯６ユニットの位相と、♯６ユニットの位相に対する♯２ユニットの位相と、♯２ユニットの位相に対する♯４ユニットの位相と、♯４ユニットの位相に対する♯３ユニットの位相と、♯３ユニットの位相に対する♯５ユニットの位相と、♯５ユニットの位相に対する♯１ユニットの位相とが、それぞれ同方向に６０°ずれていることを第１の特徴とする車両用動力伝達装置が提案される。【０００８】
また本発明によれば、前記第１の特徴に加えて、前記伝達ユニットは、前記入力軸の軸線からの前記入力側支点の偏心量を変化させることで、前記入力軸の回転を変速して前記出力軸に伝達することを第２の特徴とする車両用動力伝達装置が提案される。【０００９】
尚、実施の形態の偏心ディスク１９は本発明の入力側支点に対応し、実施の形態のピン３７は本発明の出力側支点に対応し、実施の形態のエンジンＥは本発明の駆動源に対応する。
【発明の効果】
【００１０】
本発明の第１の特徴によれば、駆動源に接続された入力軸が回転すると、各伝達ユニットの入力側支点が偏心回転し、入力側支点に一端を接続されたコネクティングロッドが往復運動すると、コネクティングロッドの他端が接続されたワンウェイクラッチを介して出力軸が回転する。各伝達ユニットの入力側支点が偏心回転すると遠心力による荷重が入力軸の両端の支持部に作用して振動の原因となるが、６個の伝達ユニットを軸方向一端側から他端側に向かって順番に♯１ユニット、♯２ユニット、♯３ユニット、♯４ユニット、♯５ユニット、♯６ユニットとしたとき、♯１ユニットの位相に対する♯６ユニットの位相と、♯６ユニットの位相に対する♯２ユニットの位相と、♯２ユニットの位相に対する♯４ユニットの位相と、♯４ユニットの位相に対する♯３ユニットの位相と、♯３ユニットの位相に対する♯５ユニットの位相と、♯５ユニットの位相に対する♯１ユニットの位相とが、それぞれ同方向に６０°ずれているため、各伝達ユニットにより発生する荷重が相互に打ち消し合うことで、入力軸の両端の支持部に作用する荷重を最小限に抑えて振動を低減することができる。【００１１】
また本発明の第２の特徴によれば、伝達ユニットは、入力軸の軸線からの入力側支点の偏心量を変化させることで、入力軸の回転を変速して出力軸に伝達するので、車両用動力伝達装置のレシオを変更することができる。
【図面の簡単な説明】
【００１２】
【図１】図１は無段変速機の全体斜視図である。（第１の実施の形態）
【図２】図２は無段変速機の要部の一部破断斜視図である。（第１の実施の形態）
【図３】図３は図１の３−３線断面図である。（第１の実施の形態）
【図４】図４は図３の４部拡大図である。（第１の実施の形態）
【図５】図５は図３の５−５線断面図である。（第１の実施の形態）
【図６】図６は偏心ディスクの形状を示す図である。（第１の実施の形態）
【図７】図７は偏心ディスクの偏心量と変速比との関係を示す図である。（第１の実施の形態）
【図８】図８はＴＤ変速比およびＵＤ変速比における偏心ディスクの状態を示す図である。（第１の実施の形態）
【図９】図９は入力軸の両端部を支持するベアリングに作用する荷重を説明する図である。（第１の実施の形態）
【図１０】図１０は本発明の作用効果を説明するグラフである。（第１の実施の形態）
【符号の説明】
【００１３】
１２        入力軸
１３        出力軸
１４        伝達ユニット
１９        偏心ディスク（入力側支点）
３３        コネクティングロッド
３６        ワンウェイクラッチ
３７        ピン（出力側支点）
３８        アウター部材
Ｅ          エンジン（駆動源）
Ｌ          入力軸の軸線
ε          偏心量
【発明を実施するための形態】
【００１４】
以下、図１〜図１０に基づいて本発明の実施の形態を説明する。
【第１の実施の形態】
【００１５】
図１〜図５に示すように、自動車用の無段変速機Ｔのミッションケース１１の一対の側壁１１ａ，１１ｂに入力軸１２および出力軸１３が相互に平行に支持されており、エンジンＥに接続された入力軸１２の回転が６個の伝達ユニット１４…、出力軸１３およびディファレンシャルギヤＤを介して駆動輪に伝達される。中空に形成された入力軸１２の内部に、その入力軸１２と軸線Ｌを共有する変速軸１５が７個のニードルベアリング１６…を介して相対回転可能に嵌合する。６個の伝達ユニット１４…の構造は実質的に同一構造であるため、以下、一つの伝達ユニット１４を代表として構造を説明する。
【００１６】
伝達ユニット１４は変速軸１５の外周面に設けられたピニオン１７を備えており、このピニオン１７は入力軸１２に形成した開口１２ａから露出する。ピニオン１７を挟むように、入力軸１２の外周に軸線Ｌ方向に２分割された円板状の偏心カム１８がスプライン結合される。偏心カム１８の中心Ｏ１は入力軸１２の軸線Ｌに対して距離ｄだけ偏心している。また６個の伝達ユニット１４…の６個の偏心カム１８…は、その偏心方向の位相が相互に６０°ずつずれている。
【００１７】
偏心カム１８の外周面には、円板状の偏心ディスク１９の軸線Ｌ方向両端面に形成した一対の偏心凹部１９ａ，１９ａが、一対のニードルベアリング２０，２０を介して回転自在に支持される。偏心ディスク１９の中心Ｏ２に対して偏心凹部１９ａ，１９ａの中心Ｏ１（つまり偏心カム１８の中心Ｏ１）は距離ｄだけずれている。即ち、入力軸１２の軸線Ｌおよび偏心カム１８の中心Ｏ１間の距離ｄと、偏心カム１８の中心Ｏ１および偏心ディスク１９の中心Ｏ２間の距離ｄとは同一である。
【００１８】
軸線Ｌ方向に２分割された偏心カム１８の割り面には、その偏心カム１８の中心Ｏ１と同軸に一対の三日月状のガイド部１８ａ，１８ａが設けられており、偏心ディスク１９の一対の偏心凹部１９ａ，１９ａの底部間を連通させるように形成されたリングギヤ１９ｂの歯先が、偏心カム１８のガイド部１８ａ，１８ａの外周面に摺動可能に当接する。そして変速軸１５のピニオン１７が、入力軸１２の開口１２ａを通して偏心ディスク１９のリングギヤ１９ｂに噛合する。
【００１９】
入力軸１２の右端側はボールベアリング２１を介してミッションケース１１の右側の側壁１１ａに直接支持される。また入力軸１２の左端側に位置する１個の偏心カム１８に一体に設けた筒状部１８ｂが、ボールベアリング２２を介してミッションケース１１の左側の側壁１１ｂに支持されており、その偏心カム１８の内周にスプライン結合された入力軸１２の左端側は、ミッションケース１１に間接的に支持される。
【００２０】
入力軸１２に対して変速軸１５を相対回転させて無段変速機Ｔの変速比を変更する変速アクチュエータ２３は、モータ軸２４ａが軸線Ｌと同軸になるようにミッションケース１１に支持された電動モータ２４と、電動モータ２４に接続された遊星歯車機構２５とを備える。遊星歯車機構２５は、電動モータ２４にニードルベアリング２６を介して回転自在に支持されたキャリヤ２７と、モータ軸２４ａに固定されたサンギヤ２８と、キャリヤ２７に回転自在に支持された複数の２連ピニオン２９…と、中空の入力軸１２の軸端（厳密には、前記１個の偏心カム１８の筒状部１８ｂ）にスプライン結合された第１リングギヤ３０と、変速軸１５の軸端にスプライン結合された第２リングギヤ３１とを備える。各２連ピニオン２９は大径の第１ピニオン２９ａと小径の第２ピニオン２９ｂとを備えており、第１ピニオン２９ａはサンギヤ２８および第１リングギヤ３０に噛合し、第２ピニオン２９ｂは第２リングギヤ３１に噛合する。
【００２１】
偏心ディスク１９の外周には、ローラベアリング３２を介してコネクティングロッド３３の一端側の環状部３３ａが相対回転自在に支持される。
【００２２】
出力軸１３はミッションケース１１の一対の側壁１１ａ，１１ｂに一対のボールベアリング３４，３５で支持されており、その外周にはワンウェイクラッチ３６が設けられる。ワンウェイクラッチ３６は、コネクティングロッド３３のロッド部３３ｂの先端にピン３７を介して枢支されたリング状のアウター部材３８と、アウター部材３８の内部に配置されて出力軸１３に固定されたインナー部材３９と、アウター部材３８の内周の円弧面とインナー部材３９の外周の平面との間に形成された楔状の空間に配置されて複数個のスプリング４０…で付勢された複数個のローラ４１…とを備える。
【００２３】
図６および図８に示すように、偏心ディスク１９の中心Ｏ２に対して偏心凹部１９ａ，１９ａの中心Ｏ１（つまり偏心カム１８の中心Ｏ１）は距離ｄだけずれているため、偏心ディスク１９の外周と偏心凹部１９ａ，１９ａの内周との間隔は円周方向に不均一になっており、その間隔が大きい部分に三日月状の肉抜き凹部１９ｃ，１９ｃが形成される。
【００２４】
図９（Ａ）に示すように、６個の伝達ユニット１４…は、入力軸１２および出力軸１３の左端側（変速アクチュエータ２３側）から右端側（エンジンＥおよびディファレンシャルギヤＤ側）に向かって♯１ユニット、♯２ユニット、♯３ユニット、♯４ユニット、♯５ユニット、♯６ユニットと名付けられる。
【００２５】
図９（Ｂ）は入力軸１２を軸線Ｌ方向に見た模式図である。丸で囲った♯１〜♯６は各伝達ユニット１４の位相（軸線Ｌに対する偏心ディスク１９の中心Ｏ２の位相）を示しており、♯１ユニットの位相に対する♯６ユニットの位相と、♯６ユニットの位相に対する♯２ユニットの位相と、♯２ユニットの位相に対する♯４ユニットの位相と、♯４ユニットの位相に対する♯３ユニットの位相と、♯３ユニットの位相に対する♯５ユニットの位相と、♯５ユニットの位相に対する♯１ユニットの位相とが、それぞれ同方向に６０°ずれている。
【００２６】
図９（Ｃ）は図９（Ｂ）のＣ−Ｃ断面であって、入力軸１２を軸線Ｌに対して直交する方向に見た模式図である。各伝達ユニット１４は等間隔ｘで並置されており、左端の♯１ユニットと入力軸１２の左端側を支持するボールベアリング２２（図３参照）との間隔はｘであり、右端の♯６ユニットと入力軸１２の右端側を支持するボールベアリング２１（図３参照）との間隔はｘである。
【００２７】
次に、無段変速機Ｔの一つの伝達ユニット１４の作用を説明する。
【００２８】
図５および図７（Ａ）〜図７（Ｄ）から明らかなように、入力軸１２の軸線Ｌに対して偏心ディスク１９の中心Ｏ２が偏心しているとき、エンジンＥによって入力軸１２が回転するとコネクティングロッド３３の環状部３３ａが軸線Ｌまわりに偏心回転することで、コネクティングロッド３３のロッド部３３ｂが往復運動する。
【００２９】
その結果、コネクティングロッド３３が往復運動する過程で図中左側に引かれると、スプリング４０…に付勢されたローラ４１…がアウター部材３８およびインナー部材３９間の楔状の空間に噛み込み、アウター部材３８およびインナー部材３９がローラ４１…を介して結合されることで、ワンウェイクラッチ３６が係合してコネクティングロッド３３の動きが出力軸１３に伝達される。逆にコネクティングロッド３３が往復動する過程で図中右側に押されると、ローラ４１…がスプリング４０…を圧縮しながらアウター部材３８およびインナー部材３９間の楔状の空間から押し出され、アウター部材３８およびインナー部材３９が相互にスリップすることで、ワンウェイクラッチ３６が係合解除してコネクティングロッド３３の動きが出力軸１３に伝達されなくなる。
【００３０】
このようにして、入力軸１２が１回転する間に、入力軸１２の回転が所定時間だけ出力軸１３に伝達されるため、入力軸１２が連続回転すると出力軸１３は間欠回転する。６個の伝達ユニット１４…の偏心ディスク１９…の偏心方向の位相が相互に６０°ずつずれているため、６個の伝達ユニット１４…が入力軸１２の回転を交互に出力軸１３に伝達することで、出力軸１３は連続的に回転する。
【００３１】
このとき、偏心ディスク１９の偏心量εが大きいほど、コネクティングロッド３３の往復ストロークが大きくなって出力軸１３の１回の回転角が増加し、無段変速機Ｔの変速比が小さくなる。逆に、偏心ディスク１９の偏心量εが小さいほど、コネクティングロッド３３の往復ストロークが小さくなって出力軸１３の１回の回転角が減少し、無段変速機Ｔの変速比が大きくなる。そして偏心ディスク１９の偏心量εがゼロになると、入力軸１２が回転してもコネクティングロッド３３が移動を停止するために出力軸１３は回転せず、無段変速機Ｔの変速比が最大（無限大）になる。
【００３２】
入力軸１２に対して変速軸１５が相対回転しないとき、つまり入力軸１２および変速軸１５が同一速度で回転するとき、無段変速機Ｔの変速比は一定に維持される。入力軸１２および変速軸１５を同一速度で回転させるには、入力軸１２と同速度で電動モータ２４を回転駆動すれば良い。その理由は、遊星歯車機構２５の第１リングギヤ３０は入力軸１２に接続されて該入力軸１２と同一速度で回転するが、それと同一速度で電動モータ２４を駆動するとサンギヤ２８および第１リングギヤ３０が同一速度で回転するため、遊星歯車機構２５はロック状態になって全体が一体に回転する。その結果、一体に回転する第１リングギヤ３０および第２リングギヤ３１に接続された入力軸１２および変速軸１５は一体化され、相対回転することなく同速度で回転するからである。
【００３３】
入力軸１２の回転数に対して電動モータ２４の回転数を増速あるいは減速すると、入力軸１２に結合された第１リングギヤ３０と電動モータ２４に接続されたサンギヤ２８とが相対回転するため、キャリヤ２７が第１リングギヤ３０に対して相対回転する。このとき、相互に噛合する第１リングギヤ３０および第１ピニオン２９ａの歯数比と、相互に噛合する第２リングギヤ３１および第２ピニオン２９ｂの歯数比とが僅かに異なるため、第１リングギヤ３０に接続された入力軸１２と第２リングギヤ３１に接続された変速軸１５とが相対回転する。
【００３４】
このようにして入力軸１２に対して変速軸１５が相対回転すると、各伝達ユニット１４のピニオン１７にリングギヤ１９ｂを噛合させた偏心ディスク１９の偏心凹部１９ａ，１９ａが、入力軸１２と一体の偏心カム１８のガイド部１８ａ，１８ａに案内されて回転し、入力軸１２の軸線Ｌに対する偏心ディスク１９の中心Ｏ２の偏心量εが変化する。
【００３５】
図７（Ａ）は変速比が最小の状態（変速比：ＴＤ）を示すもので、このとき入力軸１２の軸線Ｌに対する偏心ディスク１９の中心Ｏ２の偏心量εは、入力軸１２の軸線Ｌから偏心カム１８の中心Ｏ１までの距離ｄと、偏心カム１８の中心Ｏ１から偏心ディスク１９の中心Ｏ２までの距離ｄとの和である２ｄに等しい最大値になる。入力軸１２に対して変速軸１５が相対回転すると、入力軸１２と一体の偏心カム１８に対して偏心ディスク１９が相対回転することで、図７（Ｂ）および図７（Ｃ）に示すように、入力軸１２の軸線Ｌに対する偏心ディスク１９の中心Ｏ２の偏心量εは最大値の２ｄから次第に減少して変速比が増加する。入力軸１２に対して変速軸１５が更に相対回転すると、入力軸１２と一体の偏心カム１８に対して偏心ディスク１９が更に相対回転することで、図７（Ｄ）に示すように、ついには入力軸１２の軸線Ｌに偏心ディスク１９の中心Ｏ２が重なり合って偏心量εがゼロになり、変速比が最大（無限大）の状態（変速比：ＵＤ）になって出力軸１３に対する動力伝達が遮断される。
【００３６】
次に、入力軸１２の回転に伴って発生する遠心力による荷重について考察する。
【００３７】
図９（Ｂ）および図９（Ｃ）において、入力軸１２が回転すると、各伝達ユニット１４の偏心ディスク１９には径方向外側を向く遠心力による荷重Ｆ１が作用する。上向きの荷重を正とし、下向きの荷重を負とすると、♯１ユニットが発生する荷重はＦ１（上向き）であり、♯４ユニットが発生する荷重は−Ｆ１（下向き）である。♯２ユニットおよび♯３ユニットの位相は水平方向に対して下向きに３０°傾斜しているため、その荷重の上下方向の成分はそれぞれ−Ｆ２＝−Ｆ１×ｓｉｎ３０°＝−Ｆ１／２（下向き）である。♯５ユニットおよび♯６ユニットの位相は水平方向に対して上向きに３０°傾斜しているため、その荷重の上下方向の成分はそれぞれＦ２＝Ｆ１×ｓｉｎ３０°＝Ｆ１／２（上向き）である。
【００３８】
♯１ユニットと左側のボールベアリング２２との距離はｘであり、♯１ユニットと右側のボールベアリング２１との距離は６ｘであるため、♯１ユニットの上向きの荷重Ｆ１は、左側のボールベアリング２２に６／７の比率で配分され、右側のボールベアリング２１に１／７の比率で配分され、結局、左側のボールベアリング２２に６／７×Ｆ１の荷重が加わり、右側のボールベアリング２２に１／７×Ｆ１の荷重が加わることになる。
【００３９】
♯２ユニットと左側のボールベアリング２２との距離は２ｘであり、♯２ユニットと右側のボールベアリング２１との距離は５ｘであるため、♯２ユニットの下向きの荷重−Ｆ２は、左側のボールベアリング２２に５／７の比率で配分され、右側のボールベアリング２１に２／７の比率で配分され、結局、左側のボールベアリング２２に−５／７×Ｆ２の荷重が加わり、右側のボールベアリング２１に−２／７×Ｆ２の荷重が加わることになる。
【００４０】
このようにして♯１〜♯６ユニットにより左側のボールベアリング２２に作用する荷重を計算すると以下のようになる。
【００４１】
♯１ユニット：６／７×Ｆ１
♯２ユニット：−５／７×Ｆ２
♯３ユニット：−４／７×Ｆ２
♯４ユニット：−３／７×Ｆ１
♯５ユニット：２／７×Ｆ２
♯６ユニット：１／７×Ｆ２
これらの６個の荷重を合算すると、３／７×Ｆ１−６／７×Ｆ２となり、Ｆ２＝Ｆ１／２であるから６個の荷重の合算値はゼロとなり、♯１〜♯６ユニットにより左側のボールベアリング２２に作用する荷重は相互に打ち消されることが分かる。
【００４２】
同様にして♯１〜♯６ユニットにより右側のボールベアリング２１に作用する荷重を計算すると以下のようになる。
【００４３】
♯１ユニット：１／７×Ｆ１
♯２ユニット：−２／７×Ｆ２
♯３ユニット：−３／７×Ｆ２
♯４ユニット：−４／７×Ｆ１
♯５ユニット：５／７×Ｆ２
♯６ユニット：６／７×Ｆ２
これらの６個の荷重を合算すると、−３／７×Ｆ１＋６／７×Ｆ２となり、Ｆ２＝Ｆ１／２であるから６個の荷重の合算値はゼロとなり、♯１〜♯６ユニットにより右側のボールベアリング２１に作用する荷重は相互に打ち消されることが分かる。
【００４４】
以上のように、本実施の形態によれば、６個の伝達ユニット１４…の偏心ディスク１９…の偏心方向を所定の方向に設定するだけで、偏心ディスク１９…に作用する遠心力により入力軸１２の両端側を支持するボールベアリング２１，２２に入力するトータルの荷重を最小限に抑え、入力軸１２に発生する振動を低減することができる。
【００４５】
図１０（Ａ）のグラフは、♯１〜♯６ユニットの位相を６０°ずつ順番にずらした従来例の無段変速機Ｔの右側のボールベアリング２１および左側のボールベアリング２２に作用する上下方向および左右方向の荷重を示すものであり、図１０（Ｂ）のグラフは、それに対応する本実施の形態のものである。図１０（Ａ）の従来例では、上下方向の荷重および左右方向の荷重が共に大きくなっているが、図１０（Ｂ）の実施の形態では、上下方向の荷重は上述した理由により殆どゼロになり、水平方向の荷重も、ワンウェイクラッチ３６…のアウター部材３８…の慣性により発生する荷重が多少残るものの、大幅に低減していることが分かる。
【００４６】
図１０（Ｃ）のグラフは、入力軸１２への入力回転数に対する振動の振幅の変化を示すものであり、従来例では入力回転数が２０００ｒｐｍを超えると振幅が急激に増加するのに対し、本実施の形態では全ての入力回転数領域で振幅が極めて低く抑えられることが分かる。
【００４７】
以上、本発明の実施の形態を説明したが、本発明はその要旨を逸脱しない範囲で種々の設計変更を行うことが可能である。
【００４８】
例えば、本発明の駆動源は実施の形態のエンジンＥに限定されず、電動モータ等の他の駆動源であっても良い。
【００４９】
また本発明の伝達ユニット１４は必ずしも変速機能を有する必要はなく、駆動力の伝達機能を有するものであれば良い。
【００５０】
また実施の形態では、左端の♯１ユニットおよび入力軸１２の左端を支持するボールベアリング２２間の間隔ｘと、右端の♯６ユニットおよび入力軸１２の右端を支持するボールベアリング２１間の間隔ｘとが、各伝達ユニット１４間の間隔ｘに一致しているが（図９（Ｃ）参照）、それらは厳密に一致している必要はなく、不一致であっても充分な振動低減効果を得ることができる。
【００５１】
また実施の形態では入力軸１２の両端をボールベアリング２１，２２で支持しているが、ボールベアリング２１，２２以外の任意のベアリングを使用することができる。
【図１】
2014042018.tif 000003
【図２】
2014042018.tif 000004
【図３】
2014042018.tif 000005
【図４】
2014042018.tif 000006
【図５】
2014042018.tif 000007
【図６】
2014042018.tif 000008
【図７】
2014042018.tif 000009
【図８】
2014042018.tif 000010
【図９】
2014042018.tif 000011
【図１０】
2014042018.tif 000012
【国際調査報告】
2014042018.tif 000013
2014042018.tif 000014
2014042018.tif 000015
2014042018.tif 000016